(57)【要約】【課題】  本発明は、対策部品を使わず、印刷装置が非印刷時に表示部の性能を落とすことなく、電磁波を抑制することが可能な、表示装置が具備された印刷装置の提供を目的とする。【解決手段】  印刷装置が印刷中は、表示手段の制御方法を電磁波の軽減する方法にする。印刷中に発生する電磁波の強度は、印刷手段と表示手段の重畳した値である。そのため、表示手段の電磁波の強度を軽減することによって、規制を満足する事が可能になる。【選択図】  図１
2009143211.tif 000002
【特許請求の範囲】
【請求項１】
画像を印刷する印刷手段と、印刷装置が印刷中に印刷装置の状態や記憶媒体に記憶されている画像を表示する表示手段と、印刷装置全体を制御する制御手段と、表示手段を制御する表示制御手段とを有して、印刷手段が印刷中に、表示手段を制御する表示制御手段は、印刷手段が非印刷時とは異なる制御方法で表示手段を制御することを特徴とする印刷装置。
【請求項２】
請求項１に記載の印刷装置において、印刷手段が印刷中に表示手段を制御する表示制御手段は、印刷手段が非印刷時とは異なる周波数で表示手段を制御することを特徴とする印刷装置。
【請求項３】
請求項１に記載の印刷装置において、印刷手段が印刷中に表示手段を制御する表示制御手段は、印刷手段が非印刷時の階調以下の階調画像に変換する制御方法で表示手段を制御することを特徴とする印刷装置。
【発明の詳細な説明】
【技術分野】
【０００１】
表示部を具備した印刷装置において電磁波抑制のための表示部制御方法に関する。
【背景技術】
【０００２】
液晶などの表示部を具備した多機能化した印刷装置が普及している。液晶などの表示部が具備されるということは、制御信号が増えて印刷装置から出力される電磁波が増加することでもある。
【０００３】
一方で、電子機器による電気環境への影響を防ぐため、機器ごとに各国でEMI（Electoro Magnetic Interferance:電磁波妨害）規制が実施されている。このようなEMI規制が実施されている国においては、規制を満たしていない機器の販売、使用が許可されない。日本では、VCCI(日本情報処理装置等電波障害自主規制協議会)によって自主規制されている。規制とは、電子機器から発生している電磁波強度が、あらかじめ決められた規制値以下であることである。
【０００４】
印刷装置に限らず、上記規制を満足するために、電子機器は電磁波を出さないように電磁波対策を行なっている。代表的な対策として、グランド対策、シールド対策、フィルタ対策がある。グランド対策とは、各ブロックからグランドまでの抵抗値をなるべく小さくするように設計することによって、信号ブロックなどで発生した電磁波（ノイズ）をグランドに吸収させる方法である。シールド対策とは、金属板、金属箔テープなどの電磁波遮断性の高い材料を用いて、電磁波を発生している部分を外部からシールド（遮断）すること方法である。プリント基板内でグランドパターンを用いて、電磁波発生ブロックをシールド（遮断）する方法もある。フィルタ対策とは信号ラインに、抵抗もしくはインダクタなどを挿入して、高周波成分をフィルタする方法である。これにより、信号の波形が滑らかになり、高周波成分の電磁波の強度が軽減される。上記３つの対策について、いずれも対策部品が必要である。対策部品が追加されると、組立性、コスト的に不利である。
【０００５】
例えば、対策部品を使わず、信号処理で対策を行なう技術が開示されている（例えば特許文献１）。特許文献１記載の方法は、デジタル複写装置に関する技術である。レーザ光源の点灯制御用の周波数と異なった中間周波数で、画像処理部を動作させることで、EMI対策を行なっている。
【特許文献１】特開２００４−３４９７９２号公報
【発明の開示】
【発明が解決しようとする課題】
【０００６】
しかしながら、上記特許文献1記載の方法では、画像処理部は、デジタル複写装置が動作中、基本周波数で動作できるにもかかわらず、常に中間周波数で動作することになる。EMI対策のために電子機器が起動中の常時、特定の機能の性能を落としていることになる。
【０００７】
印刷装置によっては、印刷手段が印刷中に大きな電磁波が発生し、その印刷中の時間のみを他の機能ブロックのEMI対策を行なうことで、上記規制を満たすことが可能な場合がある。例えば、昇華型印刷装置の場合、ヘッドに電力を印加することによってインクが紙に転写される。ヘッド通電時に大きな電力を発生して大きな電磁波が発生する。印刷時、液晶などの表示部の電磁波は、ヘッド通電時の電磁波に重畳される。印刷時の電磁波の強度は、印刷手段と表示手段の電磁波を重畳した値となる。その重畳した値が、上記規制を満足するように設計する必要がある。つまり、印刷時にのみ表示部の電磁波の強度を軽減することで、規制を満足する場合がある。
【０００８】
本発明は、上記従来の課題に鑑みてなされたものであり、印刷装置の印刷手段が印刷時に、表示手段を制御している表示制御手段の制御方法を変更する。これにより、非印刷時の表示部の性能を落とすことなく、追加部品なしで電磁波対策を行なうことが可能な印刷装置を提供することを目的とする。
【課題を解決するための手段】
【０００９】
請求項１に記載の印刷装置は、画像を印刷する印刷手段と、印刷装置が印刷中に、印刷装置の状態や、記憶媒体に記憶されている画像を表示する表示手段と、印刷装置全体を制御する制御手段と、表示手段を制御する表示制御手段とを有して、印刷手段が印刷中に、表示手段を制御する表示制御手段は、印刷手段が非印刷時とは異なる制御方法で表示手段を制御することを特徴とする。
【００１０】
この特徴によれば、印刷装置が印刷中に、表示手段の制御方法を電磁波の軽減する方法にできる。印刷中に発生する電磁波の強度は、印刷手段と表示手段の重畳した値である。表示手段の電磁波の強度を軽減することによって、規制を満足する事が可能になる。また、表示手段の制御方法が異なる時間は、印刷時に限られる。使用者が主に表示部を使用する非印刷時の表示手段の制御方法は、維持される。
【００１１】
請求項２に記載の印刷装置は、請求項１に記載の印刷装置において、印刷手段が印刷中に、表示手段を制御する表示制御手段は、印刷手段が非印刷時とは異なる周波数で表示手段を制御することを特徴とする。
【００１２】
この特徴によれば、印刷装置が印刷中に、表示手段の電磁波のピーク周波数の発生率を倍になる。が、発生率が上がったことにより、エネルギーが分散されて、各電磁波のピークの強度は下がる。印刷中に発生する電磁波の強度は、印刷手段と表示手段の重畳した値である。表示手段の電磁波のピーク周波数の強度を低減させることによって、規制を満足する事が可能になる。また、表示手段の周波数が異なる時間は、印刷時に限られる。使用者が主に表示部を使用する非印刷時の表示手段の周波数は維持される。
【００１３】
請求項３に記載の印刷装置は、請求項１に記載の印刷装置において、印刷手段が印刷中に、表示手段を制御する表示制御手段は、印刷手段が非印刷時の階調以下の階調画像に変換する制御方法で表示手段を制御することを特徴とする。
【００１４】
この特徴によれば、印刷装置が印刷中に、表示手段の制御方法を電磁波の強度を軽減できる。印刷中に発生する電磁波の強度は、印刷手段と表示手段の重畳した値である。表示手段の電磁波の強度を軽減することによって、規制を満足する事が可能になる。また、表示手段の諧調が下がる時間は、印刷時に限られる。使用者が主に表示部を使用する非印刷時の表示手段の階調数は維持される。
【発明の効果】
【００１５】
以上説明したように本発明によれば、非印刷時の表示部の性能は落とすことがなく、対策追加部品を追加せずに、電磁波対策を行なうことができる。これにより、組立性、コスト性に優れた構成の印刷装置を提供することが可能になる。
【発明を実施するための最良の形態】
【００１６】
次に、本発明の詳細を実施例の記述に従って説明する。
【実施例１】
【００１７】
以下、本発明の実施形態について添付図面に基づいて説明する。なお、以下の説明において特に本発明を限定する旨の記載がない限り、これらの態様に限られたものではない。
【００１８】
図２は、本発明の実施例における印刷装置の構成を示すブロック図である。100は、表示部を具備した印刷装置である。101は制御部である。101制御部は印刷装置全体の制御を行なう。図示しないプログラムメモリから制御プログラムを読み取り、読みとったプログラムに基づいて各部の制御を行なう。105入力部から入力された命令を元に、後述の102印刷部、104表示制御部、106記憶媒体読み取り部等、その他全てのブロックの制御を行なう。106は記憶媒体読み取り部である。107は記憶媒体である。使用者は、デジタルカメラ等の撮像装置で撮影した画像を107記憶媒体に記憶して、その107記憶媒体を106記憶媒体読み取り部に挿入する。107記憶媒体に記憶された画像を読み取り、101制御部に転送する。105は使用者からのさまざまな指示を入力するための入力部である。電源ボタンや、画像を選択する選択ボタン、印刷命令を行なう印刷ボタンなどが装備されている。使用者は、105入力部を操作して、100印刷装置を操作する。105入力部はボタンに限らず、ダイアルや103表示部に直接接触する方法であってもよい。102は印刷部である。101制御部が106記憶媒体読み取り部から受信した画像データを印刷データに変換し102印刷部に転送する。主に107記憶媒体に保存されている画像は、JPEG形式で保存されている。そのため101制御部は印刷に適した形式に変換して101印刷部に転送する。102印刷部は転送された印刷データを元に印刷紙に印刷する。
【００１９】
103は表示部である。画面上に赤、緑、青を表示する複数の素子が並んでいる。各素子の輝度によって表示画面を構成する。106記憶媒体読み取り部が107記憶媒体から読み取った画像を表示したり、100印刷装置の状態を表示する。100印刷装置の102印刷部が印刷中のときは、103表示部には印刷中であることを表示する。使用者は103表示部を見ながら、105入力部から100印刷装置に命令を送信する。104は表示制御部である。103表示部の制御を行なう。表示する内容は101制御部から送信される。それを103表示部にあわせた形式に変換して103表示部に送信する。104表示制御部から103表示部には、複数の信号線と、基準となるクロック線から構成されている。基準クロックに同期した複数の信号線のHIGH、LOWの組み合わせによって103表示部の各素子の輝度の情報を送信する。
【００２０】
図３は、本発明の実施例における印刷装置の概観図である。
【００２１】
200は図１で示した印刷装置の概観図の一例である。201はLCD等の表示部である。202は電源ボタンである。このボタンを押すことで、200印刷装置を起動したり、停止したりする。203は選択ボタンである。205記憶媒体読み取り部に、複数の画像が保存された記憶媒体が挿入された場合、201表示部に画像を表示する。使用者は、201表示部を見ながら203選択ボタンを操作して、印刷したい画像を選択する。204は印刷ボタンである。使用者は、画像の選択が終わると、204印刷ボタンを押して、200印刷装置に印刷を行なう命令を行なう。205は記憶媒体読み取り部である。使用者が印刷したいデジタルカメラ等の撮像装置で撮影された画像が保存された記憶媒体を挿入する。206はカートリッジ挿入部である。使用者は、206カートリッジ挿入部にインクや印刷紙の保存されたカートリッジを挿入する。207は印刷排紙部である。200印刷装置が印刷紙に印刷が終わると、印刷済みの紙は、207印刷排紙部から出力される。
【００２２】
図１は、本発明の実施例における代表的な印刷フローチャートである。
【００２３】
図２のブロック図を用いて、各シーケンスについて説明する。デジタルカメラ等の撮像装置で撮影した画像が保存された107記憶媒体を106記憶媒体読み取り部に挿入して、印刷する場合を説明する。
【００２４】
（S101）使用者が、デジタルカメラ等の撮像装置で撮影した画像が保存された107記憶媒体を106記憶媒体読み取り部に挿入する。（S102）106記憶媒体読み取り部で読み取った複数の画像を103表示部に表示する。（S103）使用者は、105入力部を操作して印刷したい画像を選択する。（S104）使用者が100印刷装置の105入力部に装備された印刷ボタンを押す。ここまでは、従来の100印刷装置と同様の動作である。（S105）と（S108）で100印刷装置の102印刷部が印刷中に、104表示制御部の制御を変更する工程が本発明の特徴である。（S105）104表示制御部の103表示部の制御方法を非印刷時の方法から印刷時の方法に変更する。方法は、例えば周波数の低減や、表示画像の階調数の低減である。（S106）100印刷装置の102印刷部が印刷を開始する。（S107）100印刷装置の102印刷部が印刷を終了する。（S108）104表示制御部の103表示部の制御方法を非印刷時の方法に戻す。印刷が終了すると(S102)の107記憶媒体の画像の表示に戻る。フローで示すように103表示部の制御が変更されるのは、(S105)〜 (S108)の印刷中だけである。使用者が主に103表示部を利用する（S102）107記憶媒体に記憶している画像を表示している時の制御と性能は維持されている。
【００２５】
図４は従来例のおける電磁波強度を示すスペクトル図である。400は各国で規定されている電磁波規格の規制値の一例である。印刷装置を含む電子機器が出力する電磁波は、この規制値以下の値でなければ、各国で販売、使用できない。401は非印刷時の印刷装置が出力する電磁波強度である。402は印刷時の印刷装置が出力する電磁波強度である。印刷時は102印刷部で印刷するために大きな電力を消費するため電磁波の強度が強くなる。403は表示部を駆動する基準クロックの周波数によるピークである。104表示制御部が103表示部を駆動する周波数の奇数倍の周波数でピークが発生する。
【００２６】
404は従来例の対策部品がない場合の電磁波強度の最大値であり、規制値を超えている。そのため、追加対策部品を用いた値が405である。405は従来例の対策部品がある場合の電磁波強度の最大値であり、規格値を満足している。
【００２７】
図５は、104表示制御部が103表示部を駆動する基準クロックの周波数を半分にした場合のスペクトル図である。まず、基準クロックの役割について説明する。上記図２ブロック図で説明したように、103表示部と104表示制御部は、基準クロックと複数の信号線で接続されている。表示部は複数の赤表示素子、緑表示素子、青表示素子、で構成されている。各素子は順番に繰り返し規則性をもって横方向と縦方向に配置されている。基準クロックに同期した信号線のHIGH、LOWを１，０に対応させて２進数で表した値が各素子の輝度値となる。１番目のクロックに転送されたデータが、左上の一番目の赤表示素子の値に対応する。２番目のクロックに転送したデータが、左上から２番目の緑表示素子の値なる。この繰り返しで、表示部の全ての素子の輝度値を決定していく。例えばここで、データ0からデータ7の８本の信号線で構成さえれている場合を説明する。基準クロックに同期したデータ０からデータ７まで値をLOW,LOW,LOW,LOW,LOW,HIGH,LOW,HIGHとして、最上位をデータ７とすると２進数の値は、８ビット表示で（10100000）となる。この値は１０進数で表すと160となる。この素子の輝度は160/255に決定される。また、一画面の全素子の輝度が決定すると、繰り返し上記１番目の赤表示素子の輝度を転送して、画面を更新していく。つまり、基準クロックを半分にするということは、一画面の更新速度が遅くなるということであり、動画など変化の激しい画面においては、応答性が落ちるということである。しかし、印刷装置の表示装置において、画像の応答性を求められることは少ない。また図１印刷フローで説明したように、103表示部の応答性が落ちる期間は、100印刷装置が印刷中に限られており、損なわれる使用者の利便性は限られている。
【００２８】
406は本発明の実施例１における印刷装置の印刷時の電磁波強度である。図４で説明したように、104表示制御部が103表示部を駆動する周波数の奇数倍の周波数でピークが発生する。そのため、周波数を半分にすることで、発生する周波数は倍になる。が、発生する周波数が倍になることで、エネルギーが分散され各発生するピークの強度は下がる。
【００２９】
図５のように規制値を超えていた周波数でピークが抑制される。追加対策部品なしで電磁波対策が可能になる。
【実施例２】
【００３０】
図２ブロック図の構成をもち、図３概観図の印刷装置において、図１印刷フローにおける（S105）と（S108）の表示部の制御方法の変更について、表示する画像の階調数を下げた場合の実施例２について図６と図７と図８を用いて説明する。
【００３１】
図６は、図１の表示部と表示制御部の詳細な構成図である。600はLCD等の表示部である。601は600表示部を制御する表示制御部である。602は、601表示制御部が600表示部を制御する信号線である。本実施例では、データ線８本クロック線１本で制御している。603は赤表示素子、604は緑表示素子、605は青表示素子である。図で示すように、600表示部の画面上に上記３素子が繰り返し配置されてる。各素子の輝度は、602信号線のデータ線8本によって601表示制御部から送信される。
【００３２】
図７（a）、図７（b）は、本発明と従来の表示部を駆動するための信号である。701は図６の603赤表示素子に対応したクロックであり、701に同期したデータ線８本、D0〜D7の２進数値を、603赤表示素子の輝度とする。このようなクロックとデータが繰り返し送信されることにより、表示部の全ての表示素子の輝度が規定されて、画面が表示される。
【００３３】
例えば、図７（ｂ）の場合701クロックに同期したD0,D1,D2,D3,D4,D5,D6,D7の値がLOW,HIGH,HIGH,HIGH,HIGH,HIGH,HIGH,HIGHであるとする。D7が最上位である。２進数値は11111110である。１０進数で表すと最大値が255に対して254である。702は図６の604緑表示素子に対応した第２のクロックで、701と同様に604緑表示素子の輝度を規定する。703は、図６の605青表示素子に対応した第３のクロックで、701と同様に605青表示素子の輝度を規定する。
【００３４】
ここで、本発明では表示画像の各素子の輝度の階調数を、255階調から2階調に下げた場合を説明する。図７（a）に示すように、輝度を最大値255に対して0か127のみの2階調の画像にすることによって、D7しかHIGH、LOW信号が切り替わらないことになる。信号の切り替わりが電磁波の強度になるため、図７(ｂ)に比べて、ピークの電磁波強度が下がる。
【００３５】
図８は、図７で示したように、表示画像の階調数を落とした場合の本発明の実施例における電磁波強度を示すスペクトル図である。407が印刷装置が印刷中に、表示部の階調数を落とした場合の電磁波強度である。104表示制御部が103表示部を駆動する周波数の奇数倍の周波数で発生するピークの強度が下がる。そのため、追加対策部品がない状態で400規制値を満足している。
【００３６】
また、非印刷時は画像の階調数は初期値を維持するため、常時、表示部の性能を落とす必要がない。表示部の性能が落ちる期間が印刷時のみに限られている。
【図面の簡単な説明】
【００３７】
【図１】本発明の実施例における印刷フローチャート。
【図２】本発明の実施例におけるブロック図。
【図３】本発明の実施例における印刷装置の概観図。
【図４】従来例のおける電磁波強度を示すスペクトル図。
【図５】本発明の実施例のおける電磁波強度を示すスペクトル図。
【図６】図１の表示部と表示制御部の詳細な構成図。
【図７】表示部を駆動するための信号。
【図８】本発明の実施例２における電磁波強度を示すスペクトル図。
【符号の説明】
【００３８】
100  印刷装置
101  制御部
102  印刷部
103  表示部
104  表示制御部
105  入力部
106  記憶媒体読み取り部
107  記憶媒体
200  印刷装置
201  表示部
202  電源ボタン
203  選択ボタン
204  印刷ボタン
205  記憶媒体読み取り部
206  カートリッジ挿入部
207  印刷排紙部
400  規制値
401  非印刷時の電磁波強度
402  印刷時の電磁波強度
403  表示部駆動周波数によるピーク強度
404  従来例の対策部品がない場合の電磁波強度の最大値
405  従来例の対策部品がある場合の電磁波強度の最大値
406  本発明の表示部駆動周波数を半分にした実施例におけるスペクトル図
600  表示部
601  表示制御部
602  信号線
603  赤表示素子
604  緑表示素子
605  青表示素子
701  図6の603赤表示素子に対応したクロック
702  図6の604緑表示素子に対応したクロック
703  図6の605青表示素子に対応したクロック
【図１】
2009143211.tif 000003
【図２】
2009143211.tif 000004
【図３】
2009143211.tif 000005
【図４】
2009143211.tif 000006
【図５】
2009143211.tif 000007
【図６】
2009143211.tif 000008
【図７】
2009143211.tif 000009
【図８】
2009143211.tif 000010